(57)【特許請求の範囲】
【請求項１】
撮影によって得られた画像データを記憶する記憶手段と、
前記記憶手段からの前記画像データの消去の禁止を指示する指示情報を入力する入力手段と、
前記入力手段から入力された指示情報に応じて前記画像データの消去の禁止を設定する設定手段と、
前記記憶手段に記憶された画像データを外部記憶装置に記憶させる外部記憶手段と、
前記外部記憶手段によって前記外部記憶装置に記憶された画像データが前記消去の禁止が設定され、且つ解除対象とされた画像データであるときに、該解除対象とされた画像データが前記外部記憶装置に記憶される回数を示す回数情報を解除の条件とし、該回数情報によって示される回数だけ前記解除対象とされた画像データが前記外部記憶装置に記憶された場合に、当該解除対象とされた画像データに設定された消去の禁止を解除するように制御する制御手段と、
を備えたデジタルカメラ。
【請求項２】
撮影によって得られた画像データを記憶する記憶手段と、
前記記憶手段からの前記画像データの消去の禁止を指示する指示情報を入力する入力手段と、
前記入力手段から入力された指示情報に応じて前記画像データの消去の禁止を設定する設定手段と、
前記記憶手段に記憶された画像データを外部記憶装置に記憶させるために該画像データを該外部記憶装置に送信する送信手段と、
前記送信手段によって前記外部記憶装置に送信された画像データが前記消去の禁止が設定され、且つ解除対象とされた画像データであるときに、該解除対象とされた画像データが前記外部記憶装置に記憶される回数を示す回数情報を解除の条件とし、該回数情報によって示される回数だけ前記解除対象とされた画像データが前記外部記憶装置に記憶された場合に、当該解除対象とされた画像データに設定された消去の禁止を解除するように制御する制御手段と、
を備えたデジタルカメラ。
【請求項３】
撮影によって得られた画像データを記憶する記憶手段と、
前記記憶手段からの前記画像データの消去の禁止を指示する指示情報を入力する入力手段と、
前記入力手段から入力された指示情報に応じて前記画像データの消去の禁止を設定する設定手段と、
前記記憶手段に記憶された画像データを外部記憶装置に記憶させる外部記憶手段と、
前記外部記憶手段によって前記外部記憶装置に記憶された画像データが前記消去の禁止が設定され、且つ消去対象とされた画像データであるときに、該消去対象とされた画像データが前記外部記憶装置に記憶される回数を示す回数情報を消去の条件とし、該回数情報によって示される回数だけ前記消去対象とされた画像データが前記外部記憶装置に記憶された場合に、当該消去対象とされた画像データに設定された消去の禁止を解除して消去するように制御する制御手段と、
を備えたデジタルカメラ。
【請求項４】
撮影によって得られた画像データを記憶する記憶手段と、
前記記憶手段からの前記画像データの消去の禁止を指示する指示情報を入力する入力手段と、
前記入力手段から入力された指示情報に応じて前記画像データの消去の禁止を設定する設定手段と、
前記記憶手段に記憶された画像データを外部記憶装置に記憶させるために該画像データを該外部記憶装置に送信する送信手段と、
前記送信手段によって前記外部記憶装置に送信された画像データが前記消去の禁止が設定され、且つ消去対象とされた画像データであるときに、該消去対象とされた画像データが前記外部記憶装置に記憶される回数を示す回数情報を消去の条件とし、該回数情報によって示される回数だけ前記消去対象とされた画像データが前記外部記憶装置に記憶された場合に、当該消去対象とされた画像データに設定された消去の禁止を解除して消去するように制御する制御手段と、
を備えたデジタルカメラ。
【請求項５】
前記回数情報を前記記憶手段に予め記憶した請求項１乃至請求項４の何れか１項記載のデジタルカメラ。
【請求項６】
前記入力手段から、前記回数情報を更に入力し、前記制御手段は、前記入力手段から入力された回数情報によって示される回数だけ前記解除対象とされた画像データが前記外部記憶装置に記憶された場合に当該解除対象とされた画像データに設定された消去の禁止を解除するように制御する請求項１乃至請求項５の何れか１項記載のデジタルカメラ。
【請求項７】
前記入力手段から、前記画像データに設定されている消去の禁止を解除するか否か示す情報を更に入力し、前記制御手段は、入力された情報に対応する画像データを解除対象とする請求項１乃至請求項６の何れか１項記載のデジタルカメラ。
【請求項８】
前記設定手段は、前記入力手段により前記指示情報が入力された場合に、該指示情報が入力された以降の撮影によって得られた画像データに入力された指示情報に応じて消去の禁止を設定する請求項１乃至請求項７の何れか１項記載のデジタルカメラ。
【請求項９】
前記入力手段から、前記外部記憶装置に記憶する画像データの当該外部記憶装置からの消去を禁止するか否かを示す消去禁止情報を更に入力し、
前記制御手段は、前記消去禁止情報が消去を禁止することを示す場合に、前記画像データの前記外部記憶装置からの消去の禁止を設定するように制御する
請求項１乃至請求項８の何れか１項記載のデジタルカメラ。
【発明の詳細な説明】
【０００１】
【発明の属する技術分野】
本発明は、デジタルカメラの制御方法に係り、特に、デジタルカメラによる撮影によって得られた画像データのバックアップデータを作成する撮影によって得られた画像データを外部に転送することができるデジタルカメラに関する。
【０００２】
【従来の技術及び発明が解決しようとする課題】
近年、ＣＣＤ（Charge Coupled Device）等の固体撮像素子を用いて被写体の撮像を行い、当該撮像によって得られた被写体像を示すデジタル画像データをスマートメディアやコンパクト・フラッシュ等の可搬型の記録メディアに記録することができるデジタルスチルカメラやデジタルビデオカメラ等のデジタルカメラが普及している。
【０００３】
ところで、この種のデジタルカメラでは、上記記録メディアに記録した画像データを保護（プロテクト）する方法として、主に次の２種類の方法が採られている。
１．プロテクトする画像データをユーザが一つ一つ選択して、選択した画像データ毎にリードオンリー（Read Only）属性を持たせる方法。
２．記録済みの全ての画像データに一括してリードオンリー属性を持たせる方法。
【０００４】
以下、上記２種類のプロテクト方法の各々の一例を具体的に説明する。まず、図１５を参照して、選択した画像データ毎にリードオンリー属性を持たせる方法について説明する。
【０００５】
ユーザは、まず、デジタルカメラに設けられている液晶ディスプレイ等で構成された画像モニタ４０にメニューを表示させるために用意された不図示のメニュー／実行スイッチを押圧操作する。これに応じてデジタルカメラの画像モニタ４０には、図１５（Ａ）に示すメニュー画面が表示される。
【０００６】
次にユーザは、当該メニュー画面から鍵型マークで示されるプロテクト・メニューを、画像モニタ４０の表示領域における上下左右の４方向の移動方向を示す矢印キーが設けられた不図示の操作スイッチの操作によって選択する。これによってデジタルカメラの画像モニタ４０には、図１５（Ｂ）に示すプロテクト・メニューが表示される。そこでユーザは、当該プロテクト・メニューの「１コマ  セット」を上記操作スイッチの操作によって指定する。これに応じてデジタルカメラの画像モニタ４０には、撮影によって記録メディアに既に記録されている画像データによって示される画像がサムネール（Thumbnail）として表示される。そこでユーザは、当該サムネールから、プロテクトをかけたい画像を上記操作スイッチの操作によって指定する。これに応じてデジタルカメラの画像モニタ４０には、図１５（Ｃ）に示す再確認を促す画面が表示される。そこでユーザは、指定した画像に対応する画像データにプロテクトをかける場合は上記メニュー／実行スイッチを押圧操作し、キャンセルする場合には不図示のキャンセル／戻るスイッチを押圧操作する。
【０００７】
ユーザが上記メニュー／実行スイッチを押圧操作した場合、デジタルカメラでは、ユーザによって指定された画像に対応する画像データについてリードオンリー属性が設定されることにより当該画像データがプロテクトされると共に、画像モニタ４０の表示領域の右上部に、図１５（Ｄ）に示すように鍵型マークが表示される。
【０００８】
次に、図１６を参照して、記録済みの全ての画像データに一括してリードオンリー属性を持たせる方法について説明する。
【０００９】
ユーザは、まず、上記メニュー／実行スイッチを押圧操作する。これに応じてデジタルカメラの画像モニタ４０には、図１６（Ａ）に示すメニュー画面が表示される。
【００１０】
次にユーザは、当該メニュー画面からプロテクト・メニューを、上記と同様に上記操作スイッチの操作によって選択する。これによってデジタルカメラの画像モニタ４０には、図１６（Ｂ）に示すプロテクト・メニューが表示される。そこでユーザは、当該プロテクト・メニューの「全コマ  セット」を上記操作スイッチの操作によって指定する。これに応じてデジタルカメラの画像モニタ４０には、図１６（Ｃ）に示す再確認を促す画面が表示される。そこでユーザは、記録済みの全ての画像データに一括してプロテクトをかける場合は上記メニュー／実行スイッチを押圧操作し、キャンセルする場合には上記キャンセル／戻るスイッチを押圧操作する。
【００１１】
ユーザが上記メニュー／実行スイッチを押圧操作した場合、デジタルカメラでは、記録済みの全ての画像データについてリードオンリー属性が設定されることにより当該画像データがプロテクトされる。
【００１２】
ところで、これらの方法により、記録メディアに記録されている画像データに対してリードオンリー属性を持たせることによってプロテクトをかけた場合であっても、ハードディスク装置等の外部記憶装置や、記憶装置を備えたパーソナル・コンピュータ等の情報端末装置にデジタルカメラを接続して、当該デジタルカメラの記録メディアに記録されている画像データを上記外部記憶装置や、上記情報端末装置に備えられた記憶装置にバックアップとして記憶した場合には、当該画像データを記録メディアから消去したい場合が多い。
【００１３】
しかしながら、従来のデジタルカメラでは、一度設定されたリードオンリー属性を解除するのは、図１５及び図１６を参照して説明したプロテクトをかける手順と同様の煩雑な手順を踏む必要があり、著しく手間がかかるものであった。従って、記録メディアからリードオンリー属性が設定された画像データを消去することも著しく手間がかかるものであった。
【００１４】
本発明は上記事実に鑑みてなされたものであり、消去禁止とされた画像データをバックアップがとられたときに容易に消去可能とすることができるデジタルカメラを提供することを目的とする。
【００１５】
【課題を解決するための手段】
上記目的を達成するために、請求項１記載のデジタルカメラは、撮影によって得られた画像データを記憶する記憶手段と、前記記憶手段からの前記画像データの消去の禁止を指示する指示情報を入力する入力手段と、前記入力手段から入力された指示情報に応じて前記画像データの消去の禁止を設定する設定手段と、前記記憶手段に記憶された画像データを外部記憶装置に記憶させる外部記憶手段と、前記外部記憶手段によって前記外部記憶装置に記憶された画像データが前記消去の禁止が設定され、且つ解除対象とされた画像データであるときに、該解除対象とされた画像データが前記外部記憶装置に記憶される回数を示す回数情報を解除の条件とし、該回数情報によって示される回数だけ前記解除対象とされた画像データが前記外部記憶装置に記憶された場合に、当該解除対象とされた画像データに設定された消去の禁止を解除するように制御する制御手段と、を備えたものである。
また、請求項２記載のデジタルカメラは、撮影によって得られた画像データを記憶する記憶手段と、前記記憶手段からの前記画像データの消去の禁止を指示する指示情報を入力する入力手段と、前記入力手段から入力された指示情報に応じて前記画像データの消去の禁止を設定する設定手段と、前記記憶手段に記憶された画像データを外部記憶装置に記憶させるために該画像データを該外部記憶装置に送信する送信手段と、前記送信手段によって前記外部記憶装置に送信された画像データが前記消去の禁止が設定され、且つ解除対象とされた画像データであるときに、該解除対象とされた画像データが前記外部記憶装置に記憶される回数を示す回数情報を解除の条件とし、該回数情報によって示される回数だけ前記解除対象とされた画像データが前記外部記憶装置に記憶された場合に、当該解除対象とされた画像データに設定された消去の禁止を解除するように制御する制御手段と、を備えたものである。
【００４１】
請求項１又は請求項２に記載のデジタルカメラによれば、撮影によって得られた画像データが記憶手段によって記憶される。
【００４２】
また、本発明では、上記記憶手段からの上記画像データの消去の禁止を指示する指示情報が必要に応じ入力手段によって入力され、当該指示情報に応じて上記画像データの消去の禁止が設定手段により設定される。
【００４３】
なお、上記入力手段としては、キーボード、スイッチ類、タッチパネル、タブレット等のあらゆる入力装置を適用することができる。
【００４４】
一方、本発明では、記憶手段に記憶された画像データが外部記憶手段によって外部記憶装置に記憶され、外部記憶装置に記憶された画像データが設定手段によって消去の禁止が設定された画像データであるときに当該画像データに設定された消去の禁止が解除されるように制御手段により制御される。
【００４５】
なお、上記記憶手段には、ＲＡＭ、ＥＥＰＲＯＭ、フラッシュＥＥＰＲＯＭ等の記憶素子の他、スマート・メディア、コンパクト・フラッシュ、ＡＴＡカード、フロッピィディスク、ＣＤ−Ｒ、ＣＤ−ＲＷ、光磁気ディスク等の可搬記録媒体やハードディスク等の固定記録媒体が含まれる。また、上記外部記憶装置としては、ＲＡＭ、ＥＥＰＲＯＭ、フラッシュＥＥＰＲＯＭ等の記憶素子が記憶媒体とされた装置や、スマート・メディア、コンパクト・フラッシュ、ＡＴＡカード、フロッピィディスク、ＣＤ−Ｒ、ＣＤ−ＲＷ、光磁気ディスク等の可搬記録媒体やハードディスク等の固定記録媒体が記録媒体とされた装置等を適用することができる。
【００４６】
すなわち、本発明では、記憶手段に記憶された画像データのバックアップが外部記憶装置によってとられた際に、当該画像データに設定された消去の禁止を解除するようにしており、これによって当該画像データを容易に消去可能とすることができるようにしている。
【００４７】
このように、請求項１又は請求項２に記載のデジタルカメラによれば、撮影によって得られた画像データを記憶手段によって記憶し、当該記憶手段に記憶された画像データを外部記憶装置に記憶すると共に、当該外部記憶装置に記憶された画像データが消去の禁止が設定された画像データであるときに当該画像データに設定された消去の禁止を解除するように制御しているので、消去禁止とされた画像データをバックアップがとられたときに容易に消去可能とすることができる。
【００４８】
また、請求項８記載のデジタルカメラは、請求項７記載の発明において、前記入力手段は、前記制御手段による解除の条件として解除対象とする画像データの前記外部記憶装置に記憶された回数を示す回数情報を更に入力し、前記制御手段は、前記回数情報によって示される回数だけ前記解除対象とする画像データが前記外部記憶装置に記憶された場合に当該画像データに設定された消去の禁止を解除するように制御するものである。
【００４９】
また、上記制御手段による解除の条件として解除対象とする画像データの外部記憶装置に記憶された回数を示す回数情報により示される回数だけ上記解除対象とする画像データが外部記憶装置に記憶された場合に当該画像データに設定された消去の禁止が解除されるように制御手段によって制御される。
【００５０】
すなわち、本発明では、記憶手段に記憶された画像データが回数情報によって示される回数だけ外部記憶装置に記憶（バックアップ）されたときのみに当該画像データに設定された消去の禁止を解除するようにしており、これによって消去の禁止が解除された画像データのバックアップ数を複数とすることができ、当該画像データのバックアップデータが消去される危険性を低減することができるようにしている。
【００５１】
このように、消去禁止の解除の条件として解除対象とする画像データの外部記憶装置に記憶された回数を示す回数情報を入力し、当該回数情報によって示される回数だけ解除対象とする画像データが外部記憶装置に記憶された場合に当該画像データに設定された消去の禁止を解除するように制御しているので、当該画像データのバックアップデータが消去される危険性を低減することができる。
【００５２】
一方、請求項３記載のデジタルカメラは、撮影によって得られた画像データを記憶する記憶手段と、前記記憶手段からの前記画像データの消去の禁止を指示する指示情報を入力する入力手段と、前記入力手段から入力された指示情報に応じて前記画像データの消去の禁止を設定する設定手段と、前記記憶手段に記憶された画像データを外部記憶装置に記憶させる外部記憶手段と、前記外部記憶手段によって前記外部記憶装置に記憶された画像データが前記消去の禁止が設定され、且つ消去対象とされた画像データであるときに、該消去対象とされた画像データが前記外部記憶装置に記憶される回数を示す回数情報を消去の条件とし、該回数情報によって示される回数だけ前記消去対象とされた画像データが前記外部記憶装置に記憶された場合に、当該消去対象とされた画像データに設定された消去の禁止を解除して消去するように制御する制御手段と、を備えたものである。
また、請求項４記載のデジタルカメラは、撮影によって得られた画像データを記憶する記憶手段と、前記記憶手段からの前記画像データの消去の禁止を指示する指示情報を入力する入力手段と、前記入力手段から入力された指示情報に応じて前記画像データの消去の禁止を設定する設定手段と、前記記憶手段に記憶された画像データを外部記憶装置に記憶させるために該画像データを該外部記憶装置に送信する送信手段と、前記送信手段によって前記外部記憶装置に送信された画像データが前記消去の禁止が設定され、且つ消去対象とされた画像データであるときに、該消去対象とされた画像データが前記外部記憶装置に記憶される回数を示す回数情報を消去の条件とし、該回数情報によって示される回数だけ前記消去対象とされた画像データが前記外部記憶装置に記憶された場合に、当該消去対象とされた画像データに設定された消去の禁止を解除して消去するように制御する制御手段と、を備えたものである。
【００５３】
請求項３又は請求項４に記載のデジタルカメラによれば、外部記憶装置に記憶された画像データが記憶手段から消去されるように制御手段によって制御される。
【００５４】
すなわち、本発明では、記憶手段に記憶された画像データが外部記憶装置によって記憶（バックアップ）された際に、当該画像データを記憶手段から消去するようにしており、これによってバックアップがとられた後の画像データの記憶手段からの消去を行うためのユーザによる手間を削減するようにしている。
【００５５】
このように、請求項３又は請求項４に記載のデジタルカメラによれば、外部記憶装置に記憶された画像データを記憶手段から消去するように制御しているので、バックアップがとられた後の画像データの記憶手段からの消去を行うための手間を削減することができる。
【００５６】
また、請求項１０記載のデジタルカメラは、請求項９記載の発明において、前記入力手段は、前記制御手段による消去の条件として消去対象とする画像データの前記外部記憶装置に記憶された回数を示す回数情報を更に入力し、前記制御手段は、前記回数情報によって示される回数だけ前記消去対象とする画像データが前記外部記憶装置に記憶された場合に当該画像データを前記記憶手段から消去するように制御するものである。
【００５７】
また、上記制御手段による消去の条件として消去対象とする画像データの外部記憶装置に記憶された回数を示す回数情報が入力手段によって更に入力され、当該回数情報によって示される回数だけ上記消去対象とする画像データが外部記憶装置に記憶された場合に当該画像データが記憶手段から消去されるように制御手段によって制御される。
【００５８】
すなわち、本発明では、記憶手段によって記憶された画像データが回数情報によって示される回数だけ外部記憶装置に記憶（バックアップ）されたときのみに当該画像データが記憶手段から消去されるようにしており、これによって当該記憶手段から消去される画像データのバックアップ数を複数とすることができ、当該画像データのバックアップデータが消去される危険性を低減することができるようにしている。
【００５９】
このように、請求項３又は請求項４に記載のデジタルカメラによれば、記憶手段からの消去の条件として消去対象とする画像データの外部記憶装置に記憶された回数を示す回数情報を入力し、上記回数情報によって示される回数だけ消去対象とする画像データが外部記憶装置に記憶された場合に当該画像データを記憶手段から消去するように制御しているので、当該画像データのバックアップデータが消去される危険性を低減することができる。
【００６０】
また、請求項５記載のデジタルカメラのように、回数情報を前記記憶手段に予め記憶してもよいし、請求項６記載のデジタルカメラのように、入力手段から、前記回数情報を更に入力し、前記制御手段は、前記入力手段から入力された回数情報によって示される回数だけ前記解除対象とされた画像データが前記外部記憶装置に記憶された場合に当該解除対象とされた画像データに設定された消去の禁止を解除するように制御してもよい。
さらに、請求項７に記載のデジタルカメラのように、入力手段から、前記画像データに設定されている消去の禁止を解除するか否か示す情報を更に入力し、前記制御手段は、入力された情報に対応する画像データを解除対象としてもよい。
なお、請求項８記載のデジタルカメラのように、本発明における前記指示情報を、それ以降の撮影によって得られた画像データの消去の禁止を指示するものとすることが好ましい。これによって、撮影の度に消去の禁止を設定する場合の手間を削減することができ、撮影終了後に一括して消去の禁止を設定する場合の当該設定のし忘れを防止することができる。
【００６１】
更に、請求項９記載のデジタルカメラは、請求項１乃至請求項８の何れか１項の発明において、前記入力手段は、前記外部記憶装置に記憶する画像データの当該外部記憶装置からの消去を禁止するか否かを示す消去禁止情報を更に入力し、前記制御手段は、前記消去禁止情報が消去を禁止することを示す場合に、前記画像データの前記外部記憶装置からの消去の禁止を設定するように制御するものである。
【００６２】
請求項９に記載のデジタルカメラによれば、外部記憶装置に記憶される画像データの当該外部記憶装置からの消去を禁止するか否かを示す消去禁止情報が入力手段によって更に入力され、当該消去禁止情報が上記画像データの外部記憶装置からの消去を禁止することを示す場合に、当該画像データの外部記憶装置からの消去の禁止が設定されるように制御される。
【００６３】
すなわち、本発明では、外部記憶装置に記憶する画像データの消去の禁止を指示する旨が入力されたときに、当該画像データの外部記憶装置からの消去を禁止するようにしており、これによってバックアップデータを保護することができるようにしている。
【００６４】
このように、請求項９に記載のデジタルカメラによれば、請求項１乃至請求項８の何れか１項記載の発明と同様の効果を奏することができると共に、外部記憶装置に記憶する画像データの消去を禁止するか否かを示す消去禁止情報を入力し、当該消去禁止情報が画像データの外部記憶装置からの消去を禁止することを示す場合に、当該画像データの外部記憶装置からの消去の禁止を設定するように制御しているので、バックアップデータを保護することができる。
【００７３】
【発明の実施の形態】
以下、図面を参照して、本発明の実施の形態について詳細に説明する。
【００７４】
〔第１実施形態〕
本第１実施形態では、カメラシステムの形態例について説明する。まず、図１を参照して、本実施の形態に係るデジタルカメラ１０の外観上の構成を説明する。
【００７５】
図１（Ａ）に示すように、デジタルカメラ１０の正面には、被写体像を結像させるためのレンズ１２と、露光に際して被写体が適正な露光光量が得られない低照度の場合に発光されるストロボ３０と、撮影する被写体の構図を決めるために用いられる光学ファインダ４６と、が備えられている。
【００７６】
また、デジタルカメラ１０の上面には、撮影を実行する際にユーザによって押圧操作されるシャッタスイッチ（所謂、レリーズスイッチ）４４と、電源スイッチ４８と、が備えられており、デジタルカメラ１０の側面には、外部の装置と接続されて当該装置との間の所定のインタフェース規格（本実施の形態では、ＵＳＢ（Universal Serial Bus））による通信を制御するデジタル・インタフェース（以下、「デジタルＩ／Ｆ」という。）３４と、撮影によって得られた画像データをデジタルデータとして記憶する可搬型の記録メディア（本実施の形態では、メモリカード）をデジタルカメラ１０に装着する際に当該記録メディアが挿入される記録メディア挿入部５０と、が備えられている。
【００７７】
一方、図１（Ｂ）に示すように、デジタルカメラ１０の背面には、撮影によって得られた被写体像、各種メニュー、メッセージ等を表示する液晶ディスプレイで構成された画像モニタ４０と、画像モニタ４０の表示領域における上下左右の４方向の移動方向を示す矢印キーが設けられた操作スイッチ４２と、メニューを表示させるとき及び設定した処理を実行させるときに押圧操作されるメニュー／実行スイッチ５２と、撮影された被写体像を画像モニタ４０に表示させるときに押圧操作される表示スイッチ５４と、が備えられている。
【００７８】
次に、図２を参照して、本実施の形態に係るデジタルカメラ１０の電気系の構成を説明する。
【００７９】
同図に示すように、デジタルカメラ１０は、撮影時にレンズ１２を通過した被写体を示す入射光の光量を制限するためのメカニカル・シャッタ及び絞り（以下、「シャッタ・絞り」という。）１４と、上記入射光に基づき被写体を撮像して被写体像を示すアナログ画像信号を出力するＣＣＤによって構成された撮像デバイス１８と、入力された信号に対して所定のアナログ信号処理を施すアナログ信号処理部２０と、入力されたアナログ信号をデジタル信号に変換するアナログ／デジタル変換器（以下、「Ａ／Ｄ変換器」という。）２２と、入力されたデジタル信号に対して所定のデジタル信号処理を施すデジタル信号処理部２４と、主として入力されたデジタル信号によって示される情報を記憶するＳＤＲＡＭ（Synchronous Dynamic Random Access Memory）により構成されたメモリ２６と、入力されたデジタルデータを所定の圧縮形式（本実施の形態では、ＪＰＥＧ（Joint Photographic Experts Group）形式）で圧縮する一方、入力された圧縮済みのデジタルデータを圧縮形式に応じた伸張形式で伸張する圧縮伸張部２８と、レンズ１２、シャッタ・絞り１４、撮像デバイス１８、及びストロボ３０の各々を駆動するための駆動信号を生成する駆動回路３２と、を含んで構成されている。
【００８０】
撮像デバイス１８の出力端はアナログ信号処理部２０の入力端に、アナログ信号処理部２０の出力端はＡ／Ｄ変換器２２の入力端に、Ａ／Ｄ変換器２２の出力端はデジタル信号処理部２４の入力端に、デジタル信号処理部２４の出力端はメモリ２６の入力端に、各々接続されており、撮像デバイス１８による撮像によって得られたアナログ画像信号は、アナログ信号処理部２０により所定のアナログ信号処理が施され、次いでＡ／Ｄ変換器２２によりデジタル信号に変換された後、デジタル信号処理部２４により所定のデジタル信号処理が施されてデジタル画像データとしてメモリ２６に一旦記憶される。
【００８１】
なお、本実施の形態に係るアナログ信号処理部２０で行われる上記所定のアナログ信号処理には、相関二重サンプリング処理及びγ（ガンマ）補正処理が含まれる。ここで、相関二重サンプリング処理は、処理対象とする信号に対して、特に熱雑音の低減において効果を発揮し、Ｓ／Ｎ比（Signal to Noise Ratio）を向上できることが知られている。
【００８２】
また、本実施の形態に係るデジタル信号処理部２４で行われる上記所定のデジタル信号処理には、高域信号処理及び補間処理が含まれる。ここで、高域信号処理は、処理対象とする信号から、例えば、ＹH・ＹL法により画素に対応させて垂直方向／水平方向の輝度信号が有する周波数帯域を通常よりも高域に延ばすと共に、垂直方向／水平方向の周波数範囲が重ならないように処理して信号の高品位化を図るものである。また、補間処理は、撮像デバイス１８で単板の色分解フィルタが用いられている場合に行われる処理であり、その位置に配した色フィルタの他の２つの色を生成する補間処理を行うものである。この補間処理を行う際には、得られた高域化された輝度信号を用いて３原色Ｒ（赤）、Ｇ（緑）、Ｂ（青）の補間データを算出する。これにより、撮像デバイス１８における有効画面領域の各画素に対して３原色Ｒ、Ｇ、Ｂのプレーンデータが得られる。
【００８３】
駆動回路３２の各種駆動信号を出力する出力端は、レンズ１２、シャッタ・絞り１４、撮像デバイス１８、及びストロボ３０に接続されており、これら各部は、駆動回路３２から入力された駆動信号によって駆動される。なお、図２では、錯綜を回避するために、駆動回路３２からレンズ１２、シャッタ・絞り１４及びストロボ３０に対し、１本の線が分岐されて接続された状態が示されているが、実際には、駆動回路３２から各部へは各々異なる配線によって接続されており、各部は各々異なる駆動信号で駆動される。
【００８４】
一方、デジタルカメラ１０は、デジタルカメラ１０全体の動作を司るＣＰＵ（中央演算処理装置）３６を更に備えている。
【００８５】
アナログ信号処理部２０、Ａ／Ｄ変換器２２、デジタル信号処理部２４、メモリ２６、圧縮伸張部２８、駆動回路３２、デジタルＩ／Ｆ３４、ＣＰＵ３６、操作スイッチ４２、及びシャッタスイッチ４４は各々メインバスＭＢに接続されており、ＣＰＵ３６は、アナログ信号処理部２０、Ａ／Ｄ変換器２２、デジタル信号処理部２４及び圧縮伸張部２８の作動の制御、メモリ２６及びデジタルＩ／Ｆ３４に接続された外部の装置へのアクセス、及び操作スイッチ４２、シャッタスイッチ４４のユーザによる操作状態の検知を行うことができる。
【００８６】
また、メモリ２６の出力端は、記録メディア挿入部５０に挿入されて装着されたメモリカード３８に圧縮伸張部２８を介して接続されており、メモリ２６に記憶されたデジタル画像データは圧縮伸張部２８によって所定の圧縮形式で圧縮された後に画像ファイルとしてメモリカード３８に記憶される。また、ＣＰＵ３６は、メモリカード３８に記憶されている圧縮処理されたデジタル画像データを、圧縮伸張部２８で伸張させ、メモリ２６を介して読み取ることができる。更に、メモリ２６の他の出力端は画像モニタ４０に接続されており、ＣＰＵ３６はメモリ２６に記憶されたデジタル画像データによって示される被写体像の画像モニタ４０への表示や、メモリ２６を介して各種メニューやメッセージ等の画像モニタ４０への表示を行うことができる。
【００８７】
なお、メインバスＭＢには、メニュー／実行スイッチ５２及び表示スイッチ５４も接続されており、ＣＰＵ３６は、これらのスイッチのユーザによる操作状態の検知も行うことができる。
【００８８】
一方、駆動回路３２は、ＣＰＵ３６から入力された撮影条件に応じた制御信号に基づいて、レンズ１２、シャッタ・絞り１４、撮像デバイス１８、及びストロボ３０の各々に供給すべき駆動信号を生成して各部に供給する。すなわち、駆動回路３２には、図示しないクロック生成部及びタイミング信号生成部が備えられており、ＣＰＵ３６から入力された制御信号と、上記クロック生成部及びタイミング信号生成部からの各種信号と、に基づいて各部に供給する駆動信号を生成している。
【００８９】
なお、本実施の形態に係るメモリカード３８には、ユーザによる各種処理の設定内容を変数値として記憶するためのテキスト・ファイル（以下、「設定ファイル」という。）が予め記憶されている。
【００９０】
ここで、当該設定ファイルで記憶される変数には、後述するオートセット処理を行うか否かを示す変数（以下、「オートセット変数」という。）、後述する自動消去処理を行うか否かを示す変数（以下、「自動消去変数」という。）、後述するバックアップ回数を示す変数（以下、「バックアップ回数変数」という。）、及び後述するバックアップ保護処理を行うか否かを示す変数（以下、「バックアップ保護変数」という。）が含まれる。また、オートセット変数、自動消去変数、及びバックアップ保護変数の各変数には、対象とする処理を行う場合は‘オン’を示す値（本実施の形態では、‘１’）が、対象とする処理を行わない場合には‘オフ’を示す値（本実施の形態では、‘０’）が、各々設定され、バックアップ回数変数にはバックアップ回数を示す値が設定される。また、オートセット変数、自動消去変数、及びバックアップ保護変数の各変数には‘オフ’を示す値である‘０’が、バックアップ回数変数には‘１’が、各々デフォルトとして設定されている。
【００９１】
一方、図３には、デジタルカメラ１０をパーソナル・コンピュータ８０に簡易に接続するために用いられるクレードル６０の構成が示されている。同図に示すようにクレードル６０には、当該クレードル６０を介してパーソナル・コンピュータ８０に接続する際にデジタルカメラ１０が挿入されるカメラ挿入部６２が設けられており、カメラ挿入部６２の内部には、デジタルカメラ１０に設けられたデジタルＩ／Ｆ３４の接続端子に対応する接続端子６４が設けられている。
【００９２】
デジタルカメラ１０をクレードル６０に装着する際には、デジタルカメラ１０を、底面を下向きとして同図矢印Ａ方向に挿入した後、同図矢印Ｂ方向にスライドさせる。これによって、デジタルカメラ１０のデジタルＩ／Ｆ３４の接続端子が接続端子６４に接続される。そして、クレードル６０とパーソナル・コンピュータ８０との間は上記所定のインタフェース規格（本実施の形態では、ＵＳＢ）で接続するインタフェース・ケーブル（以下、「Ｉ／Ｆケーブル」という。）７０で接続されている。従って、クレードル６０に装着されたデジタルカメラ１０は、パーソナル・コンピュータ８０との間で上記所定のインタフェース規格で相互通信することができる。
【００９３】
更に、クレードル６０には、装着されたデジタルカメラ１０のメモリカード３８に記憶されている画像ファイルをパーソナル・コンピュータ８０に取り込ませる際に押圧操作される自動取込ボタン６６と、装着されたデジタルカメラ１０の充電池に対してパーソナル・コンピュータ８０から供給された電力で充電が行われている際、及び装着されたデジタルカメラ１０とパーソナル・コンピュータ８０との間で通信が行われている際に点灯される充電／アクセスランプ６８Ａと、不図示の電源スイッチがオン状態となっているときに点灯される電源ランプ６８Ｂと、が備えられている。
【００９４】
一方、図４には、パーソナル・コンピュータ８０の電気系の構成が示されている。同図に示すように、パーソナル・コンピュータ８０は、パーソナル・コンピュータ８０全体の動作を司るＣＰＵ８２と、外部の装置と接続されて当該装置との間の所定のインタフェース規格（本実施の形態では、ＵＳＢ）による通信を制御するデジタル・インタフェース（以下、「デジタルＩ／Ｆ」という。）８４と、各種プログラムやデータ等の情報を記憶するためのハードディスク８６と、がバスＢｕｓを介して相互に接続されて構成されている。従って、ＣＰＵ８２は、デジタルＩ／Ｆ８４を介して接続された装置との間で各種情報の授受を行うことができると共に、ハードディスク８６に対する各種情報の書き込み及びハードディスク８６に書き込まれている各種情報の読み出しを行うことができる。
【００９５】
ここで、デジタルＩ／Ｆ８４には、一端部のコネクタがクレードル６０に接続されたＩ／Ｆケーブル７０の他端部のコネクタが接続されている。従って、パーソナル・コンピュータ８０のＣＰＵ８２は、クレードル６０に装着されたデジタルカメラ１０との間で各種情報の授受を行うことができる。
【００９６】
なお、本実施の形態に係るハードディスク８６には、デジタルＩ／Ｆ８４に接続された装置に記憶されている画像ファイルを読み出して記憶するためのフォルダ（以下、「バックアップフォルダ」という。）が予め設けられると共に、当該バックアップフォルダに対する画像ファイル毎の記憶回数を示す変数（以下、「実バックアップ回数変数ＪＮ」という。）がテキスト形式のファイル（以下、「実バックアップ回数ファイル」という。）として記憶される。
【００９８】
次に、本実施の形態に係るカメラシステムの作用を説明する。まず、図５を参照して、デジタルカメラ１０において実行されるプロテクト設定処理について説明する。なお、図５は、ユーザによる指示入力に応じてプロテクト設定処理を実行する際にデジタルカメラ１０のＣＰＵ３６によって実行されるプロテクト設定処理プログラムの処理の流れを示すフローチャートである。
【００９９】
デジタルカメラ１０のＣＰＵ３６は、電源スイッチ４８がオン状態になっているとき、ユーザによりメニュー／実行スイッチ５２が押圧操作されると画像モニタ４０に所定のメニュー画面を表示する。そこでユーザは、当該メニュー画面から鍵型マークで示されるプロテクト・メニューを操作スイッチ４２の操作によって選択する。これに応じてＣＰＵ３６は、画像モニタ４０に対して図６に示されるプロテクト・メニューを表示すると共に、上記プロテクト設定処理プログラムの実行を開始する。また、プロテクト・メニューが画像モニタ４０に表示されると、ユーザは、当該メニューから所望の処理を操作スイッチ４２の操作によって指定するか、又は不図示のキャンセルスイッチの操作によってプロテクト設定処理の強制終了（キャンセル）を指定する。
【０１００】
なお、プロテクト・メニューにおける「全コマリセット」は、メモリカード３８に記憶されている画像ファイルに対して設定されている全てのリードオンリー属性を解除する処理を行うものであり、「全コマセット」は、メモリカード３８に記憶されている全ての画像ファイルに対してリードオンリー属性を設定する処理を行うものであり、「１コマセット」は、メモリカード３８に記憶されている画像データの中の選択された１コマ分の画像ファイルに対してリードオンリー属性を設定する処理を行うものであり、「オートセット」は、それ以降の撮影によって得られた全ての画像ファイルに対してリードオンリー属性を設定する処理を行うものである。
【０１０１】
このように、本実施の形態に係るデジタルカメラ１０では、メモリカード３８に記憶された画像ファイルの消去の禁止を設定する方法として当該画像データに対してリードオンリー属性を設定する方法を適用しており、リードオンリー属性を設定することが本発明における「消去の禁止」に相当する。なお、リードオンリー属性は、メモリカード３８に設けられたＦＡＴ（File Allocation Table）に対して設定される。
【０１０２】
プロテクト設定処理プログラム（図５参照）のステップ１００では、ユーザによるプロテクト・メニューからの所望の処理の指定、及びキャンセルスイッチを用いたキャンセルの指定の何れかの指定待ちを行い、次のステップ１０２では、ユーザによって指定された処理が「全コマリセット」であったか否かを判定し、肯定判定の場合はステップ１０４に移行して、メモリカード３８に記憶されている画像ファイルに対して設定されている全てのリードオンリー属性を解除した後、本プロテクト設定処理プログラムを終了する。
【０１０３】
一方、上記ステップ１０２において否定判定された場合にはステップ１０６へ移行し、ユーザによって指定された処理が「全コマセット」であったか否かを判定し、肯定判定の場合はステップ１０８に移行して、メモリカード３８に記憶されている全ての画像ファイルに対してリードオンリー属性を設定した後、本プロテクト設定処理プログラムを終了する。
【０１０４】
一方、上記ステップ１０６において否定判定された場合にはステップ１１０へ移行し、ユーザによって指定された処理が「１コマセット」であったか否かを判定し、肯定判定の場合はステップ１１２に移行して、メモリカード３８に記憶されている全ての画像ファイルを圧縮伸張部２８によって伸張しつつ読み出し、読み出した画像ファイルによって示される画像（被写体像）をサムネールとして画像モニタ４０に表示する。画像モニタ４０にサムネールが表示されると、ユーザは、当該サムネールから、プロテクトをかけたい画像を操作スイッチ４２の操作によって指定する。
【０１０５】
そこで、次のステップ１１４では、ユーザによる所望の画像の指定待ちを行い、次のステップ１１６では、ユーザによって指定された画像に対応する画像ファイルに対してリードオンリー属性を設定した後、本プロテクト設定処理プログラムを終了する。
【０１０６】
一方、上記ステップ１１０において否定判定された場合にはステップ１１８へ移行し、ユーザによって指定された処理が「オートセット」であったか否かを判定し、肯定判定の場合はステップ１２０に移行して、メモリカード３８に予め記憶されている設定ファイルのオートセット変数の値を‘オン’を示す値（本実施の形態では、‘１’）とするように更新した後、本プロテクト設定処理プログラムを終了する。
【０１０７】
一方、上記ステップ１１８において否定判定された場合にはステップ１２２へ移行し、ユーザによる指定が不図示のキャンセルスイッチの操作によるプロテクト設定処理のキャンセルの指定であったか否かを判定し、肯定判定の場合は本プロテクト設定処理プログラムを終了し、否定判定の場合は、ユーザによる指定内容に誤りがあったものと見なして何ら処理を行うことなく上記ステップ１００へ戻る。
【０１０８】
次に、図７を参照して、デジタルカメラ１０において実行されるプロテクトオート設定処理について説明する。なお、図７は、ユーザによる指示入力に応じてプロテクトオート設定処理を実行する際にデジタルカメラ１０のＣＰＵ３６によって実行されるプロテクトオート設定処理プログラムの処理の流れを示すフローチャートである。
【０１０９】
デジタルカメラ１０のＣＰＵ３６は、電源スイッチ４８がオン状態になっているとき、ユーザによりメニュー／実行スイッチ５２が押圧操作されると画像モニタ４０に所定のメニュー画面を表示する。そこでユーザは、当該メニュー画面から「ＡＵＴＯ」の文字が付された鍵型マークで示されるプロテクト・オート・メニューを操作スイッチ４２の操作によって選択する。これに応じてＣＰＵ３６は、画像モニタ４０に対して図８に示されるプロテクト・オート・メニューを表示すると共に、上記プロテクトオート設定処理プログラムの実行を開始する。また、プロテクト・オート・メニューが画像モニタ４０に表示されると、ユーザは、当該メニューから所望の処理を操作スイッチ４２の操作によって指定するか、又は不図示のキャンセルスイッチの操作によってプロテクトオート設定処理の強制終了（キャンセル）を指定する。
【０１１０】
なお、プロテクト・オート・メニューにおける「自動」は、それ以降の撮影によって得られた全ての画像ファイルに対してリードオンリー属性を設定する処理を行うものであり、前述のプロテクト・メニューにおける「オートセット」と同様の処理を行うものである。
【０１１１】
また、プロテクト・オート・メニューにおける「自動消去」は、外部の装置によってバックアップがとられた画像ファイルをメモリカード３８から自動的に消去する処理を行うものであり、「バックアップ回数」は、上記「自動消去」がユーザによって指定された際の、画像データの消去の条件として消去対象とする画像ファイルのバックアップされた回数を設定する処理を行うものであり、「バックアップ保護」は、外部の装置によってバックアップされた画像ファイルに対する消去の禁止を指示する処理を行うものである。
【０１１２】
プロテクトオート設定処理プログラム（図７参照）のステップ２００では、ユーザによるプロテクト・オート・メニューからの所望の処理の指定、及びキャンセルスイッチを用いたキャンセルの指定の何れかの指定待ちを行い、次のステップ２０２では、ユーザによって指定された処理が「自動」であったか否かを判定し、肯定判定の場合はステップ２０４に移行して、上記設定ファイルのオートセット変数の値が‘オフ’を示す値（本実施の形態では、‘０’）となっているか否かを判定し、肯定判定の場合はステップ２０６に移行してオートセット変数の値を‘オン’を示す値（本実施の形態では、‘１’）に更新した後に本プロテクトオート設定処理プログラムを終了し、否定判定の場合にはステップ２０８に移行してオートセット変数の値を‘オフ’を示す値に更新した後に本プロテクトオート設定処理プログラムを終了する。なお、オートセット変数の値が‘オン’を示すものである場合には当該メニューの「自動」の表示に対応する位置に‘ＯＮ’が表示され、オートセット変数の値が‘オフ’を示すものである場合には当該メニューの「自動」の表示に対応する位置に‘ＯＦＦ’が表示される。
【０１１３】
すなわち、上記ステップ２０４〜ステップ２０８の処理では、ユーザにより「自動」が指定されたとき、その時点でのオートセット変数に対する設定を逆の設定とする（‘オフ’であった場合は‘オン’とし、‘オン’であった場合は‘オフ’とする。）ようにしている。
【０１１４】
一方、上記ステップ２０２において否定判定された場合にはステップ２１０へ移行し、ユーザによって指定された処理が「自動消去」であったか否かを判定し、肯定判定の場合はステップ２１２に移行して、上記設定ファイルの自動消去変数の値が‘オフ’を示す値（本実施の形態では、‘０’）となっているか否かを判定し、肯定判定の場合はステップ２１４に移行して自動消去変数の値を‘オン’を示す値（本実施の形態では、‘１’）に更新した後に本プロテクトオート設定処理プログラムを終了し、否定判定の場合にはステップ２１６に移行して自動消去変数の値を‘オフ’を示す値に更新した後に本プロテクトオート設定処理プログラムを終了する。なお、自動消去変数の値が‘オン’を示すものである場合には当該メニューの「自動消去」の表示に対応する位置に‘ＯＮ’が表示され、自動消去変数の値が‘オフ’を示すものである場合には当該メニューの「自動消去」の表示に対応する位置に‘ＯＦＦ’が表示される。
【０１１５】
すなわち、上記ステップ２１２〜ステップ２１６の処理では、ユーザにより「自動消去」が指定されたとき、その時点での自動消去変数に対する設定を逆の設定とする（‘オフ’であった場合は‘オン’とし、‘オン’であった場合は‘オフ’とする。）ようにしている。
【０１１６】
一方、上記ステップ２１０において否定判定された場合にはステップ２１８へ移行し、ユーザによって指定された処理が「バックアップ回数」であったか否かを判定し、肯定判定の場合はステップ２２０に移行して、バックアップ回数変数Ｎの値をユーザによる操作スイッチ４２の操作に応じた値に更新した後に本プロテクトオート設定処理プログラムを終了する。なお、上記バックアップ回数変数Ｎの値は、操作スイッチ４２の右矢印キーを１回押下することによって‘１’だけインクリメントされ、操作スイッチ４２の左矢印キーを１回押下することによって‘１’だけデクリメントされる。
【０１１７】
一方、上記ステップ２１８において否定判定された場合にはステップ２２２へ移行し、ユーザによって指定された処理が「バックアップ保護」であったか否かを判定し、肯定判定の場合はステップ２２４に移行して、上記設定ファイルのバックアップ保護変数の値が‘オフ’を示す値（本実施の形態では、‘０’）となっているか否かを判定し、肯定判定の場合はステップ２２６に移行してバックアップ保護変数の値を‘オン’を示す値（本実施の形態では、‘１’）に更新した後に本プロテクトオート設定処理プログラムを終了し、否定判定の場合にはステップ２２８に移行してバックアップ保護変数の値を‘オフ’を示す値に更新した後に本プロテクトオート設定処理プログラムを終了する。なお、バックアップ保護変数の値が‘オン’を示すものである場合には当該メニューの「バックアップ保護」の表示に対応する位置に‘ＯＮ’が表示され、バックアップ保護変数の値が‘オフ’を示すものである場合には当該メニューの「バックアップ保護」の表示に対応する位置に‘ＯＦＦ’が表示される。
【０１１８】
すなわち、上記ステップ２２４〜ステップ２２８の処理では、ユーザにより「バックアップ保護」が指定されたとき、その時点でのバックアップ保護変数に対する設定を逆の設定とする（‘オフ’であった場合は‘オン’とし、‘オン’であった場合は‘オフ’とする。）ようにしている。
【０１１９】
一方、上記ステップ２２２において否定判定された場合にはステップ２３０へ移行し、ユーザによる指定が不図示のキャンセルスイッチの操作によるプロテクトオート設定処理のキャンセルの指定であったか否かを判定し、肯定判定の場合は本プロテクトオート設定処理プログラムを終了し、否定判定の場合は、ユーザによる指定内容に誤りがあったものと見なして何ら処理を行うことなく上記ステップ２００へ戻る。
【０１２０】
なお、デジタルカメラ１０は、撮影を行う毎に、設定ファイルのオートセット変数の値がオンを示すものであるか否かを判定し、オンを示すものであったときには、当該撮影によって得られた画像ファイルをメモリカード３８に記憶すると共に、メモリカード３８のＦＡＴの当該画像ファイルに対応する記憶領域にリードオンリー属性を設定する。
【０１２１】
次に、図９を参照して、パーソナル・コンピュータ８０において実行されるバックアップ処理について説明する。なお、図９は、クレードル６０（図３も参照）にデジタルカメラ１０が装着され、かつデジタルカメラ１０の電源スイッチ４８がオン状態となっているときに、パーソナル・コンピュータ８０のＣＰＵ８２によって実行されるバックアップ処理プログラムの処理の流れを示すフローチャートであり、当該プログラムはハードディスク８６の所定領域に予め記憶されている。
【０１２２】
電源スイッチ４８がオン状態とされたデジタルカメラ１０をクレードル６０に装着するか、又は、電源スイッチ４８がオフ状態とされたデジタルカメラ１０をクレードル６０に装着して電源スイッチ４８をオン状態に切り換えた後、ユーザは、クレードル６０に設けられた自動取込ボタン６６を押圧操作する。
【０１２３】
そこで、同図のステップ３００では、ユーザによる自動取込ボタン６６の押圧操作待ちを行い、次のステップ３０２では、クレードル６０に装着されたデジタルカメラ１０のメモリカード３８に記憶されている全ての画像ファイル及び設定ファイルを読み込み、次のステップ３０４で、読み込んだ画像ファイルのうちの１ファイル分の画像ファイルをハードディスク８６のバックアップフォルダに記憶する。なお、ここで、バックアップフォルダに、同一ファイル名の画像ファイルが既に存在する場合は、ファイル名の拡張子を一部変更して記憶する。また、バックアップフォルダに、同一ファイル名の画像ファイルが存在しない場合には、ハードディスク８６の実バックアップ回数ファイルに、当該画像ファイルの拡張子を除くファイル名に対応する実バックアップ回数変数ＪＮの値として‘０’を記憶する。
【０１２４】
次のステップ３０６では、上記ステップ３０４においてバックアップフォルダに記憶した画像ファイルに対応する実バックアップ回数変数ＪＮの値を‘１’だけインクリメントするように実バックアップ回数ファイルを更新し、次のステップ３０８では、上記ステップ３０２において読み込んだ設定ファイルにおけるバックアップ保護変数の値が‘オン’を示すもの（本実施の形態では、‘１’）であるか否かを判定し、肯定判定の場合はステップ３１０へ移行して、上記ステップ３０４においてバックアップフォルダに記憶した画像ファイルのリードオンリー属性を付加した後にステップ３１２へ移行する。なお、ここで、リードオンリー属性の付加は、ハードディスク８６に設けられたＦＡＴに対して行われる。
【０１２５】
一方、上記ステップ３０８において否定判定された場合には、上記ステップ３１０の処理を実行することなくステップ３１２へ移行する。
【０１２６】
ステップ３１２では、上記ステップ３０２において読み込んだ設定ファイルにおける自動消去変数の値が‘オン’を示すもの（本実施の形態では、‘１’）であるか否かを判定し、肯定判定の場合はステップ３１４へ移行して、上記ステップ３０４においてバックアップフォルダに記憶した画像ファイルに対応する実バックアップ回数変数ＪＮの値が、上記設定ファイルにおけるバックアップ回数変数Ｎの値以上となっているか否かを判定し、肯定判定の場合はステップ３１６へ移行して当該画像ファイルをデジタルカメラ１０のメモリカード３８から消去した後にステップ３１８へ移行する。
【０１２７】
一方、上記ステップ３１２において否定判定されたとき、及びステップ３１４において否定判定されたときには上記ステップ３１６の処理を実行することなくステップ３１８に移行する。
【０１２８】
ステップ３１８では、上記ステップ３０２においてデジタルカメラ１０のメモリカード３８から読み込んだ全ての画像ファイルについて上記ステップ３０４〜ステップ３１６の処理が終了したか否かを判定し、否定判定の場合は上記ステップ３０４へ戻り、肯定判定となった時点で本バックアップ処理プログラムを終了する。なお、上記ステップ３０４〜ステップ３１８の処理を繰り返して行う際には、それまでに処理対象としなかった画像ファイルを処理対象として行う。
【０１２９】
以上詳細に説明したように、本実施の形態に係るカメラシステムでは、デジタルカメラ１０により、撮影によって得られた画像データをメモリカード３８によって記憶し、当該メモリカード３８に記憶された画像データを外部に送信し、パーソナル・コンピュータ８０により、デジタルカメラ１０から送信された画像データを受信し、受信した画像データをハードディスク８６に記憶（バックアップ）すると共に、当該ハードディスク８６に記憶された画像データをメモリカード３８から消去するように制御しているので、バックアップがとられた後の画像データのメモリカード３８からの消去を行うための手間を削減することができる。
【０１３０】
また、本実施の形態に係るカメラシステムでは、デジタルカメラ１０により、メモリカード３８からの消去の条件として消去対象とする画像データのハードディスク８６に記憶された回数を示す回数情報（本実施の形態では、バックアップ回数変数Ｎの値）を入力し、パーソナル・コンピュータ８０により、上記回数情報によって示される回数だけ消去対象とする画像データがハードディスク８６に記憶された場合に当該画像データをデジタルカメラ１０のメモリカード３８から消去するように制御しているので、当該画像データのバックアップデータが消去される危険性を低減することができる。
【０１３１】
また、本実施の形態に係るカメラシステムでは、指示情報として、それ以降の撮影によって得られた画像データの消去の禁止（本実施の形態では、リードオンリー属性の設定）を指示するもの（本実施の形態では、オートセット変数の値）を適用しているので、撮影の度に消去の禁止を設定する場合の手間を削減することができ、撮影終了後に一括して消去の禁止を設定する場合の当該設定のし忘れを防止することができる。
【０１３２】
更に、本実施の形態に係るカメラシステムでは、デジタルカメラ１０により、送信する画像データの消去を禁止するか否かを示す消去禁止情報（本実施の形態では、バックアップ保護変数の値）を入力し、パーソナル・コンピュータ８０により、上記消去禁止情報が消去を禁止することを示す場合に、上記画像データのハードディスク８６からの消去の禁止を設定するように制御しているので、バックアップデータを保護することができる。
【０１３３】
〔第２実施形態〕
上記第１実施形態では、バックアップ回数変数に設定された回数だけパーソナル・コンピュータ８０によってバックアップがとられた画像ファイルをデジタルカメラ１０のメモリカード３８から消去する場合の形態例について説明したが、本第２実施形態では、バックアップ回数変数に設定された回数だけパーソナル・コンピュータ８０によってバックアップがとられた画像ファイルが、メモリカード３８においてリードオンリー属性が設定されたものであるときに当該リードオンリー属性を解除する場合の形態例について説明する。
【０１３４】
なお、この場合のカメラシステムの構成は、上記第１実施形態に示したカメラシステム（図１〜図４参照）と同様であるので、ここでの説明は省略する。但し、本第２実施形態に係る設定ファイルは、自動消去変数に代えて、後述する自動解除処理を行うか否かを示す変数（以下、「自動解除変数」という。）が含まれる点が異なっている。ここで、自動解除変数には、自動解除処理を行う場合は‘オン’を示す値（本実施の形態では、‘１’）が、自動解除処理を行わない場合には‘オフ’を示す値（本実施の形態では、‘０’）が設定される。
【０１３５】
次に、本第２実施形態に係るカメラシステムの作用を説明する。なお、本第２実施形態に係るカメラシステムでは、上記第１実施形態と同様のプロテクト設定処理が実行されるが、当該処理のここでの説明は省略する。
【０１３６】
次に、図１０を参照して、本第２実施形態に係るデジタルカメラ１０において実行されるプロテクトオート設定処理について説明する。なお、図１０は、ユーザによる指示入力に応じてプロテクトオート設定処理を実行する際にデジタルカメラ１０のＣＰＵ３６によって実行されるプロテクトオート設定処理プログラムの処理の流れを示すフローチャートである。また、同図における図７と同様の処理を行うステップには、図７と同一のステップ番号を付して、その説明を省略する。
【０１３７】
本第２実施形態に係るデジタルカメラ１０のＣＰＵ３６は、電源スイッチ４８がオン状態になっているとき、ユーザによりメニュー／実行スイッチ５２が押圧操作されると画像モニタ４０に所定のメニュー画面を表示する。そこでユーザは、当該メニュー画面から「ＡＵＴＯ」の文字が付された鍵型マークで示されるプロテクト・オート・メニューを操作スイッチ４２の操作によって選択する。これに応じてＣＰＵ３６は、画像モニタ４０に対して図１１に示されるプロテクト・オート・メニューを表示すると共に、本第２実施形態に係るプロテクトオート設定処理プログラムの実行を開始する。また、プロテクト・オート・メニューが画像モニタ４０に表示されると、ユーザは、当該メニューから所望の処理を操作スイッチ４２の操作によって指定する。
【０１３８】
なお、プロテクト・オート・メニューにおける「自動解除」は、外部の装置によってバックアップがとられた画像ファイルについてリードオンリー属性が設定されている場合に当該リードオンリー属性を自動的に解除する処理を行うものであり、「バックアップ回数」は、上記「自動解除」がユーザによって指定された際の、リードオンリー属性の解除の条件として解除対象とする画像ファイルのバックアップされた回数を設定する処理を行うものである。なお、当該メニューにおける「自動」及び「バックアップ保護」は、上記第１実施形態と同様の処理を行うものである。
【０１３９】
プロテクトオート設定処理プログラム（図１０参照）のステップ２１０’では、ユーザによって指定された処理が「自動解除」であったか否かを判定し、肯定判定の場合はステップ２１２’に移行して、上記設定ファイルの自動解除変数の値が‘オフ’を示す値（本実施の形態では、‘０’）となっているか否かを判定し、肯定判定の場合はステップ２１４’に移行して自動解除変数の値を‘オン’を示す値（本実施の形態では、‘１’）に更新した後に本プロテクトオート設定処理プログラムを終了し、否定判定の場合にはステップ２１６’に移行して自動解除変数の値を‘オフ’を示す値に更新した後に本プロテクトオート設定処理プログラムを終了する。なお、自動解除変数の値が‘オン’を示すものである場合には当該メニューの「自動解除」の表示に対応する位置に‘ＯＮ’が表示され、自動解除変数の値が‘オフ’を示すものである場合には当該メニューの「自動解除」の表示に対応する位置に‘ＯＦＦ’が表示される。
【０１４０】
すなわち、上記ステップ２１２’〜ステップ２１６’の処理では、ユーザにより「自動解除」が指定されたとき、その時点での自動解除変数に対する設定を逆の設定とする（‘オフ’であった場合は‘オン’とし、‘オン’であった場合は‘オフ’とする。）ようにしている。
【０１４１】
一方、上記ステップ２１０’において否定判定された場合にはステップ２１８へ移行する。
【０１４２】
次に、図１２を参照して、本第２実施形態に係るパーソナル・コンピュータ８０において実行されるバックアップ処理について説明する。なお、図１２は、クレードル６０（図３も参照）にデジタルカメラ１０が装着され、かつデジタルカメラ１０の電源スイッチ４８がオン状態となっているときに、パーソナル・コンピュータ８０のＣＰＵ８２によって実行されるバックアップ処理プログラムの処理の流れを示すフローチャートであり、当該プログラムはハードディスク８６の所定領域に予め記憶されている。また、同図における図９と同様の処理を行うステップには、図９と同一のステップ番号を付して、その説明を省略する。
【０１４３】
同図のステップ３１２’では、上記ステップ３０２において読み込んだ設定ファイルにおける自動解除変数の値が‘オン’を示すもの（本実施の形態では、‘１’）であるか否かを判定し、肯定判定の場合はステップ３１４へ移行し、否定判定の場合にはステップ３１８へ移行する。
【０１４４】
一方、ステップ３１６’では、上記ステップ３０４においてバックアップフォルダに記憶した画像ファイルが、デジタルカメラ１０のメモリカード３８においてリードオンリー属性が設定されたものであった場合に当該リードオンリー属性を解除し、その後にステップ３１８へ移行する。
【０１４５】
以上詳細に説明したように、本実施の形態に係るカメラシステムでは、デジタルカメラ１０により、撮影によって得られた画像データをメモリカード３８によって記憶し、当該メモリカード３８に記憶された画像データを外部に送信し、パーソナル・コンピュータ８０により、デジタルカメラ１０から送信された画像データを受信し、受信した画像データをハードディスク８６に記憶（バックアップ）すると共に、当該ハードディスク８６に記憶された画像データがデジタルカメラ１０においてリードオンリー属性が設定された画像データであるときに当該画像データに設定されたリードオンリー属性を解除するように制御しているので、リードオンリー属性が設定された画像データをバックアップがとられたときに容易に消去可能とすることができる。
【０１４６】
また、本実施の形態に係るカメラシステムでは、デジタルカメラ１０により、リードオンリー属性の解除の条件として解除対象とする画像データのハードディスク８６に記憶された回数を示す回数情報（本実施の形態では、バックアップ回数変数Ｎの値）を入力し、パーソナル・コンピュータ８０により、上記回数情報によって示される回数だけ消去対象とする画像データがハードディスク８６に記憶された場合に当該画像データのリードオンリー属性を解除するように制御しているので、当該画像データのバックアップデータが消去される危険性を低減することができる。
【０１４７】
また、本実施の形態に係るカメラシステムでは、指示情報として、それ以降の撮影によって得られた画像データの消去の禁止（本実施の形態では、リードオンリー属性の設定）を指示するもの（本実施の形態では、オートセット変数の値）を適用しているので、撮影の度に消去の禁止を設定する場合の手間を削減することができ、撮影終了後に一括して消去の禁止を設定する場合の当該設定のし忘れを防止することができる。
【０１４８】
更に、本実施の形態に係るカメラシステムでは、デジタルカメラ１０により、送信する画像データの消去を禁止するか否かを示す消去禁止情報（本実施の形態では、バックアップ保護変数の値）を入力し、パーソナル・コンピュータ８０により、上記消去禁止情報が消去を禁止することを示す場合に、上記画像データのハードディスク８６からの消去の禁止を設定するように制御しているので、バックアップデータを保護することができる。
【０１４９】
〔第３実施形態〕
本第３実施形態では、請求項１〜請求項９記載の発明、すなわち本発明のデジタルカメラの形態例について説明する。なお、本第３実施形態に係るデジタルカメラ１０の構成は、上記第１実施形態に係るデジタルカメラ１０（図１、図２参照）と同様であるので、ここでの説明は省略する。
【０１５０】
図１３には、本第３実施形態に係るデジタルカメラ１０と、外部記憶装置としてのハードディスク９０との接続状態が示されている。同図に示すように、本第３実施形態に係るデジタルカメラ１０とハードディスク９０とは、デジタルカメラ１０のデジタルＩ／Ｆ３４とハードディスク９０の不図示のデジタル・インタフェースとがＩ／Ｆケーブル９２を介して接続されることによって接続される。
【０１５１】
ハードディスク９０には、デジタルカメラ１０のメモリカード３８に記憶されている画像ファイルをバックアップ記憶するためのバックアップフォルダが予め設けられると共に、当該バックアップフォルダに対する画像ファイル毎の記憶回数を示す変数（以下、「実バックアップ回数変数ＪＮ」という。）がテキスト形式のファイル（以下、「実バックアップ回数ファイル」という。）として記憶される。
【０１５２】
メモリカード３８が請求項１〜請求項９記載の発明の記憶手段に、操作スイッチ４２が請求項１〜請求項９記載の発明の入力手段に、ＣＰＵ３６が請求項１〜請求項９記載の発明の設定手段及び制御手段に、ハードディスク９０が請求項１〜請求項９記載の発明の外部記憶装置に、各々相当する。
【０１５３】
次に、本第３実施形態に係るデジタルカメラ１０の作用を説明する。なお、本第３実施形態に係るデジタルカメラ１０では、上記第１実施形態と同様に、プロテクト設定処理（図５参照）及びプロテクトオート設定処理（図７参照）が行われるが、これらの処理のここでの説明は省略する。
【０１５４】
次に、図１４を参照して、本第３実施形態に係るデジタルカメラ１０において実行されるバックアップ処理について説明する。なお、図１４は、デジタルカメラ１０に備えられた不図示のバックアップボタンがユーザによって押圧操作されたときに、デジタルカメラ１０のＣＰＵ３６によって割り込み処理として実行されるバックアップ処理プログラムの処理の流れを示すフローチャートである。また、本バックアップ処理プログラムは、上記第１実施形態においてパーソナル・コンピュータ８０により実行されるバックアップ処理プログラム（図９も参照）と略同様の処理を行うものであり、図１４の図９と同様の処理を行うステップについては図９と同一のステップ番号を付して、その説明を省略する。
【０１５５】
図１４のステップ３０４’では、上記ステップ３０２においてメモリカード３８から読み込んだ画像ファイルのうちの１ファイル分の画像ファイルをハードディスク９０のバックアップフォルダに記憶する。なお、ここで、バックアップフォルダに、同一ファイル名の画像ファイルが既に存在する場合は、ファイル名の拡張子を一部変更して記憶する。また、バックアップフォルダに、同一ファイル名の画像ファイルが存在しない場合には、ハードディスク９０の実バックアップ回数ファイルに、当該画像ファイルの拡張子を除くファイル名に対応する実バックアップ回数変数ＪＮの値として‘０’を記憶する。
【０１５６】
また、ステップ３１０’では、上記ステップ３０４’においてバックアップフォルダに記憶した画像ファイルのリードオンリー属性を付加した後にステップ３１２へ移行する。なお、ここで、リードオンリー属性の付加は、ハードディスク９０に設けられたＦＡＴに対して行われる。
【０１５７】
以上詳細に説明したように、本実施の形態に係るデジタルカメラでは、撮影によって得られた画像データをメモリカード３８によって記憶し、当該メモリカード３８に記憶された画像データをハードディスク９０に記憶（バックアップ）すると共に、当該ハードディスク９０に記憶された画像データをメモリカード３８から消去するように制御しているので、バックアップがとられた後の画像データのメモリカード３８からの消去を行うための手間を削減することができる。
【０１５８】
また、本実施の形態に係るデジタルカメラでは、メモリカード３８からの消去の条件として消去対象とする画像データのハードディスク９０に記憶された回数を示す回数情報（本実施の形態では、バックアップ回数変数が示す値）を入力し、上記回数情報によって示される回数だけ消去対象とする画像データがハードディスク９０に記憶された場合に当該画像データをメモリカード３８から消去するように制御しているので、当該画像データのバックアップデータが消去される危険性を低減することができる。
【０１５９】
また、本実施の形態に係るデジタルカメラでは、本発明の指示情報として、それ以降の撮影によって得られた画像データの消去の禁止（本実施の形態では、リードオンリー属性の設定）を指示するもの（本実施の形態では、オートセット変数の値）を適用しているので、撮影の度に消去の禁止を設定する場合の手間を削減することができ、撮影終了後に一括して消去の禁止を設定する場合の当該設定のし忘れを防止することができる。
【０１６０】
更に、本実施の形態に係るデジタルカメラでは、ハードディスク９０に記憶する画像データの消去を禁止するか否かを示す消去禁止情報（本実施の形態では、バックアップ保護変数の値）を入力し、当該消去禁止情報が画像データのハードディスク９０からの消去を禁止することを示す場合に、当該画像データのハードディスク９０からの消去の禁止を設定するように制御しているので、バックアップデータを保護することができる
一方、本実施の形態に係るデジタルカメラの制御方法では、ハードディスク９０に記憶された画像データをメモリカード３８から消去するように制御しているので、バックアップがとられた後の画像データのメモリカード３８からの消去を行うための手間を削減することができる。
【０１６１】
なお、本実施の形態では、バックアップ回数変数に設定された回数だけハードディスク９０によってバックアップがとられた画像ファイルをデジタルカメラ１０のメモリカード３８から消去する場合の形態例について説明したが、本発明はこれに限定されるものではなく、バックアップ回数変数に設定された回数だけハードディスク９０によってバックアップがとられた画像ファイルが、メモリカード３８においてリードオンリー属性が設定されたものであるときに当該リードオンリー属性を解除する形態とすることもできる。なお、この場合の処理は、上記第２実施形態で示した処理と略同様なので、ここでの説明は省略する。
【０１６２】
この場合のデジタルカメラでは、撮影によって得られた画像データをメモリカード３８によって記憶し、当該メモリカード３８に記憶された画像データをハードディスク９０に記憶すると共に、当該ハードディスク９０に記憶された画像データが消去の禁止が設定された画像データであるときに当該画像データに設定された消去の禁止を解除するように制御しているので、消去禁止とされた画像データをバックアップがとられたときに容易に消去可能とすることができる。また、この場合のデジタルカメラの制御方法では、撮影によって得られ、かつメモリカード３８に記憶された画像データをハードディスク９０に記憶すると共に、当該画像データがメモリカード３８からの消去の禁止が設定されたものであるときに当該画像データに設定された消去の禁止を解除するように制御しているので、消去禁止とされた画像データをバックアップがとられたときに容易に消去可能とすることができる。
【０１６３】
また、上記第１、第２実施形態では、本発明の送信手段と受信手段との間のインタフェース規格としてＵＳＢを適用した場合について説明したが、本発明はこれに限定されるものではなく、例えば、ＲＳ−２３２Ｃ等の、あらゆるインタフェース規格を適用できることは言うまでもない。この場合も、各実施形態と同様の効果を奏することができる。
【０１６４】
また、上記各実施形態では、ユーザによる各種処理の設定内容を設定ファイルによって記憶しておく場合について説明したが、本発明はこれに限定されるものではなく、例えば、処理対象とする画像ファイルのタグに記憶しておく形態とすることもできる。この場合も、各実施形態と同様の効果を奏することができる。
【０１６５】
また、上記各実施形態では、本発明の記憶手段としてメモリカード３８を適用した場合について説明したが、本発明はこれに限定されるものではなく、本発明の記憶手段としてメモリ２６を適用する形態とすることもできる。この場合も、上記各実施形態と同様の効果を奏することができる。
【０１６６】
更に、上記各実施形態において説明した各種処理の流れ（図５、図７、図９、図１０、図１２、及び図１４参照）は一例であり、本発明の主旨を逸脱しない範囲内において適宜変更可能であることは言うまでもない。
【０１６７】
【発明の効果】
カメラシステムによれば、デジタルカメラにより、撮影によって得られた画像データを記憶手段によって記憶し、当該記憶手段に記憶された画像データを外部に送信し、外部装置により、デジタルカメラから送信された画像データを受信し、受信した画像データをバックアップ記憶手段に記憶すると共に、当該バックアップ記憶手段に記憶された画像データがデジタルカメラにおいて消去の禁止が設定された画像データであるときに当該画像データに設定された消去の禁止を解除するように制御しているので、消去禁止とされた画像データをバックアップがとられたときに容易に消去可能とすることができる、という効果が得られる。
【０１６８】
また、本発明に係るデジタルカメラによれば、撮影によって得られた画像データを記憶手段によって記憶し、当該記憶手段に記憶された画像データを外部記憶装置に記憶すると共に、当該外部記憶装置に記憶された画像データが消去の禁止が設定された画像データであるときに当該画像データに設定された消去の禁止を解除するように制御しているので、消去禁止とされた画像データをバックアップがとられたときに容易に消去可能とすることができる、という効果が得られる。
【図面の簡単な説明】
【図１】  実施の形態に係るデジタルカメラ１０の外観上の構成を示す正面図及び背面図である。
【図２】  実施の形態に係るデジタルカメラ１０の電気系の構成を示すブロック図である。
【図３】  実施の形態に係るデジタルカメラ１０をパーソナル・コンピュータ８０に接続するために用いられるクレードル６０の構成を示す斜視図である。
【図４】  実施の形態に係るパーソナル・コンピュータ８０の電気系の構成を示すブロック図である。
【図５】  第１実施形態におけるプロテクト設定処理プログラムの処理の流れを示すフローチャートである。
【図６】  実施の形態に係るプロテクト・メニューの表示例を示す概略図である。
【図７】  第１実施形態におけるプロテクトオート設定処理プログラムの処理の流れを示すフローチャートである。
【図８】  実施の形態に係るプロテクト・オート・メニューの表示例を示す概略図である。
【図９】  第１実施形態におけるバックアップ処理プログラムの処理の流れを示すフローチャートである。
【図１０】  第２実施形態におけるプロテクトオート設定処理プログラムの処理の流れを示すフローチャートである。
【図１１】  第２実施形態に係るプロテクト・オート・メニューの表示例を示す概略図である。
【図１２】  第２実施形態におけるバックアップ処理プログラムの処理の流れを示すフローチャートである。
【図１３】  第３実施形態に係るデジタルカメラ１０とハードディスク９０との接続状態を示す概略図である。
【図１４】  第３実施形態におけるバックアップ処理プログラムの処理の流れを示すフローチャートである。
【図１５】  従来技術の説明に供する概略図である。
【図１６】  従来技術の説明に供する概略図である。
【符号の説明】
１０    デジタルカメラ
３４    デジタルＩ／Ｆ（送信手段）
３６    ＣＰＵ（設定手段、請求項１〜請求項９記載の発明の制御手段）
３８    メモリカード（記憶手段）
４２    操作スイッチ（入力手段）
８０    パーソナル・コンピュータ（外部装置）
８２    ＣＰＵ
８４    デジタルＩ／Ｆ（受信手段）
８６    ハードディスク（バックアップ記憶手段）
９０    ハードディスク（外部記憶装置）
【図１】
0003877577.tif 000002
【図２】
0003877577.tif 000003
【図３】
0003877577.tif 000004
【図４】
0003877577.tif 000005
【図５】
0003877577.tif 000006
【図６】
0003877577.tif 000007
【図７】
0003877577.tif 000008
【図８】
0003877577.tif 000009
【図９】
0003877577.tif 000010
【図１０】
0003877577.tif 000011
【図１１】
0003877577.tif 000012
【図１２】
0003877577.tif 000013
【図１３】
0003877577.tif 000014
【図１４】
0003877577.tif 000015
【図１５】
0003877577.tif 000016
【図１６】
0003877577.tif 000017